(57)【要約】【課題】ユーザが自ら操作することによってデモ用のアプリケーションを実行させるようにすることで、映像表示装置におけるデモをユーザに対して効率よく実行する。【解決手段】システムマイコン１０６は、明るさセンサ１１３の検出結果に基づき人が存在すると判定したときに、デモンストレーションに誘導するための画面をディスプレイ１０９に表示させる。そしてリモコン装置１１６の操作によるリモコン信号を受信したときに、デモ用のアプリケーションを開始するか否かをユーザに選択させる画面を表示させ、アプリケーションを開始させる操作が行われたときに、アプリケーションを実行してデモンストレーションを開始する。明るさセンサ１１３は、人を検知するために用いるもので、この他人感センサなどを適用することができる。【選択図】図１
2011114447.tif 000002
【特許請求の範囲】
【請求項１】
映像表示装置の機能を説明するためのデモンストレーション用のアプリケーションを格納する記憶部と、前記アプリケーションを実行することにより前記デモンストレーションを開始する制御部と、前記デモンストレーションの映像及び音声をそれぞれ出力する表示画面及びスピーカと、ユーザによる操作入力を行うためのリモコン装置と、人の存在を検知するための人検知手段と、を備えた映像表示装置において、
前記制御部は、前記人検知手段の検出結果に基づき人が存在すると判定したときに、前記デモンストレーションに誘導するための画面を前記表示画面に表示させ、前記リモコン装置の操作によるリモコン信号を受信したときに、前記アプリケーションを開始するか否かをユーザに選択させる画面を前記表示画面に表示させ、前記アプリケーションを開始させる操作が行われたときに、前記アプリケーションを実行して前記デモンストレーションを開始することを特徴とする映像表示装置。
【請求項２】
請求項１に記載の映像表示装置において、
前記制御部は、前記デモンストレーションに誘導するための画面を前記表示画面に表示させてから所定時間の間に前記リモコン信号を受信したときに、前記デモンストレーションを開始することを特徴とする映像表示装置。
【請求項３】
請求項１または２に記載の映像表示装置において、
前記制御部は、前記デモンストレーションに誘導するための画面において、操作された前記リモコン装置のキーが該リモコン装置のいずれのキーであっても、前記アプリケーションを開始するか否かをユーザに選択させる画面を前記表示画面に表示させることを特徴とする映像表示装置。
【請求項４】
請求項１〜３のいずれか１に記載の映像表示装置において、
前記デモンストレーションに誘導するための画面は、リモコン装置を操作することによりデモンストレーションを開始させることを知らせるための表示を行う画面であることを特徴とする映像表示装置。
【請求項５】
請求項１〜４のいずれか１に記載の映像表示装置において、
特定のカード媒体を装着するためのカード媒体インタフェースを有し、
前記制御部は、前記カード媒体インタフェースに前記特定のカード媒体が装着されているときに、前記人検出手段の検出結果に基づく前記デモンストレーション用のアプリケーションの実行処理を行うことを特徴とする映像表示装置。
【請求項６】
請求項１〜５のいずれか１に記載の映像表示装置において、
前記人検出手段は、周囲の明るさを検出する明るさ検出センサであって、
前記制御部は、前記明るさ検出センサの検出結果に基づき、周囲の明るさが所定の閾値以上暗くなったときに、人が存在しているものと判定することを特徴とする映像表示装置。
【請求項７】
請求項１〜５のいずれか１に記載の映像表示装置において、
前記人検出手段は、赤外線、超音波、もしくは可視光のいずれかを使用して人の存在を検知する人感センサであることを特徴とする映像表示装置。
【請求項８】
請求項１〜５のいずれか１に記載の映像表示装置において、
前記人検出手段は、撮像装置と、該撮像装置が撮像した画像から人の顔を検出する顔検手段とにより構成されることを特徴とする映像表示装置。
【請求項９】
請求項１〜８のいずれか１に記載の映像表示装置において、
前記制御部がデモ用アプリケーションを実行させると、表示映像の映像設定値や音声出力設定値を変更しながらデモンストレーションが行われることを特徴とする映像表示装置。
【発明の詳細な説明】
【技術分野】
【０００１】
本発明は、映像表示装置、より詳細には、店頭等においてユーザ向けのデモンストレーション用の用アプリケーションを実行できるようにした映像表示装置に関する。
【背景技術】
【０００２】
液晶テレビ等の映像表示装置においては、例えば販売店の店頭等において、その装置の機能や特徴を説明し、ピーアールするためのデモンストレーション（以下、単にデモとする）用のアプリケーションを実行できるようにしているものがある。このようなデモ用のアプリケーションを実行させると、液晶テレビの画面に選択メニューが表示され、ユーザ任意の選択操作に応じて機能説明の表示及び音声出力等によるデモが行われる。
【０００３】
このような映像表示装置の店頭でのデモに関する技術に関して、例えば特許文献１には、デモモードで動作している映像表示装置の調整値が変更された場合であっても、それを自動的に検知してデモモードに戻すようにした映像表示装置が開示されている。この映像表示時装置は、店頭などにおいて最良の映像／音声でデモを行うデモモードを備えている。そして、通常動作中に特定のカード媒体が挿入された場合にタイマーをセットし、ユーザ操作があればタイマーを更新する。タイマーのカウントによって所定時間（ｔ）が経過した場合、再度カード媒体が挿入されていればさらに音声／映像設定がデモモードとは異なる値に変更されているかどうかを判別し、デモモードとは異なる値に設定されている場合は、音声／映像設定をデモモードの設定に変更する。また、音声／映像設定がデモモードに一致している場合には、通常動作によりデモモードを継続する。
【先行技術文献】
【特許文献】
【０００４】
【特許文献１】特開２００８−４２８６８号公報
【発明の概要】
【発明が解決しようとする課題】
【０００５】
上述したような店頭デモ用のアプリケーションを搭載し、店頭等においてそのアプリケーションを実行させてユーザとの対話形式にてデモを行うことで、ユーザに対する映像表示装置の機能説明を効率よく行って販売促進を図ることができる。しかしながら、このようなデモ用のアプリケーションを店頭等の映像表示装置にて実行させる場合には、通常は、説明を受けるユーザが自ら映像表示装置を操作することはなく、例えば店頭の説明員や営業担当者などが映像表示装置を操作して、デモ用アプリケーションを実行させている。
【０００６】
デモ用のアプリケーションを実行させる場合には、ユーザ自らが映像表示装置を操作し、デモ用のアプリケーションを起動させて対話形式でデモを行わせることが有効である。これによりユーザの購入意欲を高める効果を期待することができるとともに、店頭に配置する説明員や営業担当者などを削減して合理化することができる。
【０００７】
また、特許文献１に記載の発明は、映像表示装置の音声／映像設定にデモモードを設け、通常の動作モードと異なる音声／映像設定によって音声と映像を出力させるときの調整値の制御技術に関するものであり、上記のようなデモ用アプリケーションを備えて、そのデモ用アプリケーションを実行させるときの制御に関するものではなかった。
【０００８】
本発明は、上述のごとき実情に鑑みてなされたものであり、デモ用のアプリケーションを搭載し、ユーザに対してデモを行うことができるようにした映像表示装置において、ユーザが自ら操作することによってデモ用のアプリケーションを実行させるようにすることで、映像表示装置におけるデモをユーザに対して効率よく実行できるようにした映像表示装置を提供することを目的とするものである。
【課題を解決するための手段】
【０００９】
上記課題を解決するために、本発明の第１の技術手段は、映像表示装置の機能を説明するためのデモンストレーション用のアプリケーションを格納する記憶部と、前記アプリケーションを実行することにより前記デモンストレーションを開始する制御部と、前記デモンストレーションの映像及び音声をそれぞれ出力する表示画面及びスピーカと、ユーザによる操作入力を行うためのリモコン装置と、人の存在を検知するための人検知手段と、を備えた映像表示装置において、前記制御部は、前記人検知センサの検出結果に基づき人が存在すると判定したときに、前記デモンストレーションに誘導するための画面を前記表示画面に表示させ、前記リモコン装置の操作によるリモコン信号を受信したときに、前記アプリケーションを開始するか否かをユーザに選択させる画面を前記表示画面に表示させ、前記アプリケーションを開始させる操作が行われたときに、前記アプリケーションを実行して前記デモンストレーションを開始することを特徴としたものである。
【００１０】
第２の技術手段は、第１の技術手段において、前記制御部が、前記デモンストレーションに誘導するための画面を前記表示画面に表示させてから所定時間の間に前記リモコン信号を受信したときに、前記デモンストレーションを開始することを特徴としたものである。
【００１１】
第３の技術手段は、第１または第２の技術手段において、前記制御部が、前記デモンストレーションを誘導する画面において、操作された前記リモコン装置のキーが該リモコン装置のいずれのキーであっても、前記アプリケーションを開始するか否かをユーザに選択させる画面を前記表示画面に表示させることを特徴としたものである。
【００１２】
第４の技術手段は、第１〜第３のいずれか１の技術手段において、前記デモンストレーションに誘導するための画面が、リモコン装置を操作することによりデモンストレーションを開始させることを知らせるための表示を行う画面であることを特徴としたものである。
【００１３】
第５の技術手段は、第１〜第４のいずれか１の技術手段において、特定のカード媒体を装着するためのカード媒体インタフェースを有し、前記制御部は、前記カード媒体インタフェースに前記特定のカード媒体が装着されているときに、前記人検出手段の検出結果に基づく前記デモンストレーション用のアプリケーションの実行処理を行うことを特徴としたものである。
【００１４】
第６の技術手段は、第１〜第５のいずれか１の技術手段において、前記人検出手段が、周囲の明るさを検出する明るさ検出センサであって、前記制御部は、前記明るさ検出センサの検出結果に基づき、周囲の明るさが所定の閾値以上暗くなったときに、人が存在しているものと判定することを特徴としたものである。
【００１５】
第７の技術手段は、第１〜第５のいずれか１の技術手段において、前記人検出手段が、赤外線、超音波、もしくは可視光のいずれかを使用して人の存在を検知する人感センサであることを特徴としたものである。
【００１６】
第８の技術手段は、第１〜第５のいずれか１の技術手段において、前記人検出手段が、撮像装置と、該撮像装置が撮像した画像から人の顔を検出する顔検手段とにより構成されることを特徴としたものである。
【００１７】
第９の技術手段は、第１〜第８のいずれか１の技術手段において、前記制御部がデモ用アプリケーションを実行させると、表示映像の映像設定値や音声出力設定値を変更しながらデモンストレーションが行われることを特徴としたものである。
【発明の効果】
【００１８】
本発明によれば、デモ用のアプリケーションを搭載し、ユーザに対してデモを行うことができるようにした映像表示装置において、ユーザが自ら操作することによってデモ用アプリケーションを実行させるようにすることで、映像表示装置におけるデモをユーザに対して効率よく実行できるようにした映像表示装置を提供することができる。
【図面の簡単な説明】
【００１９】
【図１】本発明の映像表示装置の構成例を示すブロック図である。
【図２】本発明に係る映像表示装置におけるデモ用のアプリケーションの実行処理例を説明するためのフローチャートである。
【図３】ユーザをデモに誘導するＯＳＤ表示の一例を示す図である。
【図４】ユーザにデモ開始を選択させるためのＯＳＤ表示の一例を示す図である。
【発明を実施するための形態】
【００２０】
図１は、本発明の映像表示装置の構成例を示すブロック図で、テレビジョン放送受信装置に本発明の映像表示装置を適用した例を示すものである。映像表示装置１００において、チューナ部１０１は、受信した放送波を選局し、復調回路１０２は選局されたデジタル放送のデータを復調する。
【００２１】
外部入力部１０４は、外部接続されたＡＶ機器やＰＣからのビデオ信号／オーディオ信号を入力する端子などを有し、外部機器からの信号入力を可能とする。映像スイッチ１０３は、復調回路１０２で復調されて分離されたテレビ受信信号と、外部入力部１０４から入力されたビデオ信号とを切替出力する。また音声スイッチ１０７は、復調回路１０２で復調された分離されたオーディオ信号と、外部入力部１０４から入力されたオーディオ信号とを切替出力する。
【００２２】
映像処理回路１０５では、映像スイッチ１０３から切替出力された映像信号を処理し、ディスプレイに表示するための映像信号を出力する。ここでは入力された映像信号のフォーマットに応じて必要な映像処理（例えば、色空間変換処理、ＩＰ変換処理、スケーリング処理、ＦＲＣ処理、γ補正処理、色補正処理、同期検出処理など）を適宜施す。ＯＳＤ表示部１１５は、システムマイコン１０６の指示に従ってＯＳＤ（on screen display）画像を生成し、映像処理回路１０５に出力する。映像処理回路１０５では、映像処理した画像データにＯＳＤ画像を重畳して出力する。
【００２３】
ディスプレイ１０９は、例えば液晶パネルを備えたもので、映像処理回路１０５から出力された映像信号に基づいて、画像表示を行う。また、音声処理部１０８は、音声スイッチ１０７で切替出力された音声信号を出力信号に変換し、スピーカ１１１によって出力信号を音声出力する。
【００２４】
明るさセンサ１１３は、本発明の人検知手段を実現する一形態であり、映像表示装置１００の周囲の明るさ（照度）を検出するものである。明るさセンサ１１３としては、例えばフォトダイオードが適用され、検出した周囲光に応じた直流電圧信号を生成し、システムマイコン１０６に対して出力する。
【００２５】
人検知手段としては、明るさセンサの他、人感センサを用いることもできる。人感センサは、赤外線を使用して周囲温度の温度変化を感知して動作するもので、熱（赤外線）を発生する人を検知して動作する。この検知結果を用いて人の存在を判別する。また、人感センサとしては、超音波の送受信機を備えた超音波方式、あるいは可視光を送出してその反射光を検知する方式など、公知の方式のものを適用することもできる。
【００２６】
あるいは、人検知手段として、デジタルカメラで普及している顔認識処理を適用し、映像表示装置に撮像手段を設け、その撮像画像に顔認識処理を行って人がいることを検知するようにしてもよい。顔認識処理は種々の手法があるが、例えば顔のデータベース画像と撮像画像とを比較し、まゆ、目、鼻、口といった顔のパーツの位置関係を確認し、顔かどうかを判断する処理を行うことで撮像画像内の顔を検出する。撮像画像内に顔が検出されたときに、例えば、その顔の大きさが所定の大きさ以上であったときに、映像表示装置の前に人がいるものと判定することができる。この場合には、図１の映像表示装置１００に撮像装置を付加し、システムマイコン１０６は、撮像装置で撮像した画像に対して上記のような顔認識処理を行って、映像表示装置の前の人の存在を判定する。
【００２７】
リモコン受光部１１４は、ユーザが操作するリモコン装置１１６から送信された信号を受信し、システムマイコン１０６に出力する。
また、カードリーダ／ライタ１１２は、特定のカード媒体とのインタフェースを構成するもので、本発明のカード媒体インタフェースに該当するものである。本例の映像表示装置１００では、システムマイコン１０６は、特定のカード媒体がカードリーダ／ライタ１１２に装着されているときには、デモ用のアプリケーションが動作可能な環境にあるものと判断する。
【００２８】
システムマイコン１０６は、映像表示装置１００の各部を制御するもので、本発明の制御手段に該当するものである。また、記憶手段として不揮発メモリ１１０が備えられ、デモ用のアプリケーションプログラムの他、各種データやプログラムが保持される。特定のカード媒体の識別処理は、不揮発メモリ１１０もしくは他の記憶手段に記憶させたプログラムやデータを使用してシステムマイコン１０６が実行する。
【００２９】
本発明に関わる実施形態では、上記特定のカード媒体として、店頭用の白いＢ−ＣＡＳ（BS Conditional Access Systems）カードを用いることができる。Ｂ−ＣＡＳカードは、デジタル放送を見るために必要なＩＣカードであって、このカードを所定のスロットに挿入することにより、デジタル放送の暗号化を解除することができる。Ｂ−ＣＡＳカードには、店頭専用の白いカードが用意されている。本発明に関わる実施形態では、この店頭専用のＢ−ＣＡＳカードが挿入されているときに、人検知手段の検出結果とリモコン操作に基づき、デモ用のアプリケーションを実行してデモを開始させることができる。
【００３０】
なお、本発明では、上記の店頭専用のＢ―ＣＡＳカードに限定されることなく、適宜最適なカード媒体を適用してもよい。すなわち特定の識別情報を含むカード媒体が映像表示装置の所定のスロットに挿入されているときにのみ、映像表示装置がそれを識別し、人検知手段の検出結果に応じて自動的にデモを開始するようにしてもよい。
【００３１】
ただし店頭専用のＢ−ＣＡＳカードを適用することにより、店頭でのみ本発明に関わる処理を実行させることができる、という利点が得られる。例えば映像表示装置１００を店頭で購入したユーザが自宅で映像表示装置１００を視聴する場合には、店頭専用のＢ−ＣＡＳカードではなく一般のＢ−ＣＡＳカード（赤，青，オレンジ等）を使用する。従ってユーザが自宅で視聴する場合には、人検知手段の検出結果に応じて自動的にデモが開始されることはなく、店頭専用のＢ−ＣＡＳカードを使用する店頭でのみデモ用のアプリケーションを実行させることができる。これにより、ユーザが自宅で使用するときに意図せずにデモ用のアプリケーションが起動してしまうことはない。
【００３２】
上記のような構成の映像表示装置１００において、本発明に係る実施形態では、人検知センサ（ここでは明るさセンサ１１３）によって映像表示装置１００の前に人がいることを検知し、ＯＳＤによってデモ用のアプリケーションの起動を促す表示画面を表示させる。そしてこれを見たユーザが、リモコン装置１１６を手にとって操作を行ったときに、デモの開始を選択させる画面を表示し、ユーザがデモの開始を選択したときにデモ用のアプリケーションを実行してデモを開始させる。
【００３３】
図２は、本発明に係る映像表示装置におけるデモ用のアプリケーションの実行処理例を説明するためのフローチャートである。ここでは図１の構成を参照しながら説明する。
まず、映像表示装置１００のシステムマイコン１０６は、カードリーダ／ライタ１１２に対して特定のカード媒体（店頭用Ｂ−ＣＡＳカード）が装着されている状態で、明るさセンサ１１３により装置周囲の明るさが暗くなったかどうかを判別する（ステップＳ１）。このときの判別は、システムマイコン１０６が明るさセンサ１１３からの出力値を監視し、所定時間ごとの明るさ測定結果において、前回の明るさに比べて今回の明るさが所定の閾値以上に暗くなったときに、周囲の明るさが暗くなったと判定する。あるいは、所定時間ごとの明るさ測定結果において、徐々に明るさが暗くなったときの勾配を近似的に算出し、その勾配が所定の勾配より大きいときに周囲が暗くなったものと判定してもよい。あるいは、所定時間内における明るさの変化量が所定閾値以上に暗くなったときに、周囲の明るさが暗くなったものと判定する、等の手法を採用してもよい。
【００３４】
システムマイコン１０６は、装置周囲の明るさが所定条件に従って暗くなったものと判定したときには、映像表示装置１００の前に人がいるものと推定する。つまり、明るさセンサ１１３の検出結果に基づいて人の存在を検知している。
ステップＳ１で装置周囲の明るさが暗くなっていない場合には、そのまま明るさセンサ１１３による検出処理を続行する。また、装置周囲の明るさが暗くなったと判定した場合には、システムマイコン１０６は、ユーザをデモに誘導するＯＳＤ表示を行う。
【００３５】
図３は、ユーザをデモに誘導するＯＳＤ表示の一例を示す図である。明るさセンサ１１３の検出結果に基づきユーザの存在が判定されると、図３の表示画面１０（図１のディスプレイ１０９の表示画面に相当）に対して、ユーザをデモに誘導するＯＳＤ表示１１が行われる。ここではシステムマイコン１０６の制御により、ＯＳＤ表示部１１５が例えば「リモコンを操作すると本機の機能を説明するデモを開始させることができます」とのＯＳＤ画像を生成し、映像処理回路１０５に出力して現在表示中の画像（例えば放送番組など）に重畳させて表示画面１０に表示させる。
【００３６】
このようなユーザをデモに誘導する表示は、上記の例に限定されることはなく、例えばテロップによって画面上で流れるようにしたり、子画面を作ってその子画面に表示させたりするようなものであってもよい。
【００３７】
図２に戻って説明する。システムマイコン１０６は、ステップＳ２でユーザをデモに誘導するＯＳＤ表示を行った後、その表示から所定時間経過したかどうかを判別する。所定時間が経過したならば、そのＯＳＤ表示を消去し、ステップＳ１に戻って明るさセンサ１１３の検出結果を監視する。
一方、所定時間が経過していない状態でユーザによりリモコン装置１１６が操作された場合には、デモの開始を選択させるＯＳＤ表示を行う（ステップＳ５）。この場合、ユーザによりリモコン装置１１６のどのキーが操作された場合にも全て同じＯＳＤ表示を行ってユーザにデモの開始を選択させる。
【００３８】
図４は、ユーザにデモ開始を選択させるためのＯＳＤ表示の一例を示す図である。図３の状態でユーザがリモコン装置１１６を操作すると、いずれのキーを操作した場合にも図４の表示画面１０が表示される。表示画面１０には、ユーザにデモの開始を選択させるためのＯＳＤ表示１２が行われる。ここでは、システムマイコン１０６の制御により、ＯＳＤ表示部１１５が例えば「デモを開始しますか？」との問い合わせと、「はい」及び「いいえ」の選択ボタンとを表示したＯＳＤ画像を生成し、映像処理回路１０５に出力して現在表示中の画像（例えば放送番組など）に重畳させて表示画面１０に表示させる。ユーザは、リモコン装置１１６を使用して、この問い合わせに対する処理を指示することができる。
【００３９】
再度図２に戻って説明する。システムマイコン１０６は、ステップＳ５でユーザにデモの開始を選択させるＯＳＤ表示を行わせた後、デモを開始させる操作がリモコン装置１１６に対して行われた場合には（ステップＳ６−Ｙｅｓ）、デモ用のアプリケーションを実行させてデモを開始する（ステップＳ７）。
【００４０】
デモは、ユーザとの対話形式で行われ、デモによるユーザ選択画面の表示と、これに対するユーザの選択操作を行いながらデモを進めることができる。また、システムマイコン１０６がデモ用のアプリケーションを実行させるときに、表示映像の映像設定値や音声出力設定値を変更しながらデモンストレーションが行われるようにすることで、デモの効果を高めるようにしてもよい。例えば、放送中の番組に対してＯＳＤによるデモメニューを表示させ、例えば画質設定のデモを行うときに、ユーザの選択に合わせて放送中の番組の画質設定値を変更してユーザが変化を分かりやすく理解できるようにしてもよい。
そして、デモの終了により一連の処理が終了するが、この後はまたステップＳ１の周囲の明るさの監視状態に戻って処理が行われる。
【００４１】
なお、上記のフローチャートでは、人検出手段として明るさセンサを用い、明るさセンサによる周囲の明るさの検出結果に基づいて、人の存在を判定しているが、人検出手段としては、上記のように人感センサや顔検出手段などを適用することができ、これらを適用する場合には、ステップＳ１にて人検出手段により人の存在が検出されたか否かを判定するようにすればよい。
【００４２】
また、上記の例では、特定のカード媒体（例えば白のＢ−ＣＡＳカード）が映像表示装置のカードリーダ／ライタ１１２に装着されているときに、デモ用のアプリケーションの実行を可能としているが、特定のカード媒体の装着に代えて、予め定めたパスワードなどの情報が映像表示装置１００に入力されたときに、デモ用のアプリケーションの実行を可能な状態に移行するようにしてもよい。また、他の実施形態として、特定のカード媒体の装着の有無に関わらず、人検知手段が人の存在を検知したときにデモ用のアプリケーションに誘導する画面を表示させ、ユーザによるリモコン操作に応じてデモ用のアプリケーションを実行させるようにしてもよい。
【００４３】
以上の実施形態の構成によって、デモ用のアプリケーションを搭載し、ユーザに対してデモを行うことができるようにした映像表示装置において、人検知手段による検知結果に応じてデモに誘導する表示画面を表示させることで、ユーザが自らデモを開始させるようにすることができ、ユーザ自身が対話形式でデモを進めていくことにより、ユーザの購入意欲を高める効果を期待することができるとともに、店頭に配置する説明員や営業担当者などを削減して合理化する効果が期待できるようになる。
【符号の説明】
【００４４】
１０…表示画面、１１…ＯＳＤ表示、１２…ＯＳＤ表示、１００…映像表示装置、１０１…チューナ部、１０２…復調回路、１０３…映像スイッチ、１０４…外部入力部、１０５…映像処理回路、１０６…システムマイコン、１０７…音声スイッチ、１０８…音声処理部、１０９…ディスプレイ、１１０…不揮発メモリ、１１１…スピーカ、１１２…カードリーダライタ、１１３…明るさセンサ、１１４…リモコン受光部、１１５…ＯＳＤ表示部、１１６…リモコン装置。
【図１】
2011114447.tif 000003
【図２】
2011114447.tif 000004
【図３】
2011114447.tif 000005
【図４】
2011114447.tif 000006